(57)【特許請求の範囲】
【請求項１】
磁気カードに記録された車番データを読み取るとともに油種及び油量に関する予約データを書き込む磁気カードリードライターと、前記予約データを入力するための油種選択釦及び油量設定釦、入力した前記予約データを表示する油種別予約量表示器、入力した前記予約データを取り消すキャンセル釦、入力した前記予約データを予約設定する照光式予約ＥＮＴ釦を備えた予約器とからなるローリー出荷装置における出荷予約装置であって、前記磁気カードはローリー１台につき１枚を付与し、前記磁気カードリードライターに挿入された前記磁気カードを読み取り後、前記照光式予約ＥＮＴ釦の照光を点滅させ、予約する油種及び油量に関するすべての予約データを前記油種選択釦及び油量設定釦によって入力し、前記油種別予約量表示器に表示した後、前記照光式予約ＥＮＴ釦を押釦することによって前記照光を点灯させ、前記予約データを前記磁気カードリードライターによって前記磁気カードに書き込んで予約完了後、前記照光を消灯するとともに前記磁気カードが前記磁気カードリードライターから飛び出すようにしたことを特徴とするローリー出荷装置における出荷予約装置。
【発明の詳細な説明】
【０００１】
【発明の属する技術分野】
本発明は、ローリー出荷装置における出荷予約装置に関し、より詳細には、キーボード操作を介することなく直接油種選択、油量設定等予約可能なローリー出荷装置における出荷予約装置に関する。
【０００２】
【従来の技術】
ローリー出荷装置における出荷予約システムには、コンピュータを使用する予約照合システムや落し込みカードを使用するカードリーダシステムが知られている。
【０００３】
ローリー出荷装置は、概略を述べると、（１）発注元である予約センターから、油槽所事務室に設置されたコンピュータ装置に発注者名、タンクローリー車名（車番）、積み込み油種、積み込み量、配送先、配送日などの出荷データが送付され、（２）該コンピュータ装置は、出荷データに基づき、当該タンクローリー車について各ハッチ毎に積み込む油種、数量等を設定した予約データを作成、記憶する、（３）タンクローリー車が油槽所の出荷ステージに到着しカードリーダに車番カードを読み取らせると、カードリーダは、前記コンピュータ装置から予約データを読み出し表示器に前記出荷ステージのローデイングアームが挿入されるハッチ番号を表示させる、（４）運転者は、接地作業やガスブロアなどの作業を行った後、表示器に表示されたローデイングアームをハッチ給油口に挿入し、当該ハッチのハッチカードをローデイングアームに設けられたハッチセンサに読み取らせハッチ番号が入力されたかどうかをチェックする、（５）このチェック後、ハッチ番号に対応する油種データを予約データから読み出し、（６）指定された油種に対応するポンプを作動させるとともに、出荷開始リモートスイッチを操作し出荷装置の定量弁を開弁させる、（７）これら操作により油液の出荷が開始され、流量計は流量の計測を開始され、流量計が所定の流量を測定すると、定量弁は閉弁し、当該ラインの当該ハッチに対する予約油種の油液の出荷を終了する、というものである。
【０００４】
コンピュータを使用する予約照合システムでは、キーボード操作により予約のためのコマンドを呼び出し、該コマンドに従って予約データの入力を行い、出荷予約を行っている。
【０００５】
また、落し込みカードを使用するカードリーダ方式では、運転者が携行した油種別、油量別のカードを油槽所のカードボックスへ次々に落とし込み、カードに書き込まれた情報を読み取らせることにより出荷予約を行っている。
【０００６】
【発明が解決しようとする課題】
従来、ローリー出荷装置において出荷予約をする場合、運転者など日頃コンピュータ操作に馴染みのない者が、予約コマンドの呼び出しやそれに従ったキーボード操作をしなけらばならず、特に高齢者にはこのような予約操作に抵抗のあるものがあった。また、落し込みカードを使用するカードリーダ方式においては、カード作成段階で上記と同様の操作を余儀なくされることがあり、しかも一台のタンクローリー車について油種別、油量別に何枚ものカードを携行しなければならないという問題点があった。
【０００７】
本発明は、上述のような実情に鑑みてなされたもので、誰にでも手軽に出荷予約ができるとともに、タンクローリー車一台について一枚のカードで済むローリー出荷装置における出荷予約装置を提供するものである。
【０００８】
【課題を解決するための手段】
本発明は、磁気カードに記録された車番データを読み取るとともに油種及び油量に関する予約データを書き込む磁気カードリードライターと、前記予約データを入力するための油種選択釦及び油量設定釦、入力した前記予約データを表示する油種別予約量表示器、入力した前記予約データを取り消すキャンセル釦、入力した前記予約データを予約設定する照光式予約ＥＮＴ釦を備えた予約器とからなるローリー出荷装置における出荷予約装置であって、前記磁気カードはローリー１台につき１枚を付与し、前記磁気カードリードライターに挿入された前記磁気カードを読み取り後、前記照光式予約ＥＮＴ釦の照光を点滅させ、予約する油種及び油量に関するすべての予約データを前記油種選択釦及び油量設定釦によって入力し、前記油種別予約量表示器に表示した後、前記照光式予約ＥＮＴ釦を押釦することによって前記照光を点灯させ、前記予約データを前記磁気カードリードライターによって前記磁気カードに書き込んで予約完了後、前記照光を消灯するとともに前記磁気カードが前記磁気カードリードライターから飛び出すようにしたことを特徴とし、もって、出荷予約に際し、複雑なキーボード操作をなくすようにしたものである。
【０００９】
【発明の実施の形態】
図１は、本発明の実施例を説明するためのローリー出荷装置の全体構成図で、図中、Ａは油槽所事務所内設備、Ｂは油槽所積場設備、Ｃは油槽所事務所内設備Ａ及び油槽所積場設備Ｂに電源を供給する電源設備であり、油槽所積場設備Ｂは１ステージ分の積場の例を示しているが、実際には積場規模に応じて複数ステージ分の設備が設置される。
【００１０】
１は後述する予約器、２は車番データを読み、書き込むための磁気カードリードライター、３は事務所コントローラである。４は現場制御ユニット、５は予約データを読み取る磁気カードリーダ、６はバリヤーユニット、７はアースチャック、８はアースチャック７を接地するジャンクションボックスである。９は油液供給装置であり、図示しない油液貯溜タンクから油液を給送するためのポンプ９ａ、ストレーナ９ｂ、流量計９ｃ、定量計９ｄ、図示しないローデイングアームに設置された出荷開始リモートスイッチ９ｅ等から構成される。１０は表示器、１１はブザーボックスである。
【００１１】
図２は、本発明の予約器の構成を示す図で、図中、１ａは油種選択釦、１ｂは油量設定釦、１ｃは油種別予約量表示器（７油種表示）、１ｄは照光式予約ＥＮＴ釦、１ｅはキャンセル釦である。
【００１２】
予約器１による予約方法を述べると、（イ）運転者は油槽所事務所に到着すると、携行してきた磁気カードを磁気カードリードライター２に挿入して自己の車番等のデータを読み取らせる。（ロ）読み取りが終了すると、照光式の予約ＥＮＴ釦が点滅するので、この点滅を確認したあと油種選択釦１ａを押して油種を選択し、続いて油量設定釦１ｂを操作して、油種毎の予約量を油種別予約量表示器１ｃで確認しながら油量を入力する。入力途中での誤入力は、キャンセル釦１ｅでキャンセル（油種別予約量表示器１ｃの表示がゼロになる）し、改めて入力し直す。（ハ）予約する油種に対してすべて予約量を入力したら、油種別予約量表示器１ｃで再確認し、予約ＥＮＴ釦１ｄを押す。このとき、照光式の予約ＥＮＴ釦１ｄは点滅から点灯に変わる。（ニ）予約が完了すると予約ＥＮＴ釦１ｄが消灯し、図示しない磁気カードが磁気カードリードライター２の図示しないカード挿入口から約３０ｍｍ飛び出してくる。（ホ）運転者は、この磁気カードを図１の積場Ｂへ携行する。
【００１３】
前記磁気カードを図１の磁気カードリーダ５に挿入すると、磁気カードの予約データは、読み取られ、現場制御ユニット４でハッチ割付がなされ、ハッチ番号に対応する油種、油量が表示器１０に表示される。この間、運転者はアースチャック７をタンクローリー車に取り付けて接地を行い、またガスパージ等の作業を実施する。
【００１４】
更に運転者は、表示器１０の表示を確認しながら図示しないローデイングアームをタンクローリーのハッチに挿入し、出荷開始リモートスイッチ９ｅを操作すると、例えばポンプ９ａが作動し油液貯溜タンク（図示しない）から油液がストレーナ９ｂ、流量計９ｃ、定量計９ｄを通ってハッチに送給される。なお、緊急時又は異常な状況が発生したような時には、ブザーボックス１１のブザーが緊急事態等を知らせる。
【００１５】
【発明の効果】
本発明によれば、磁気カードに記録された車番データを読み取るとともに油種及び油量に関する予約データを書き込む磁気カードリードライターと、前記予約データを入力するための油種選択釦及び油量設定釦、入力した前記予約データを表示する油種別予約量表示器、入力した前記予約データを取り消すキャンセル釦、入力した前記予約データを予約設定する照光式予約ＥＮＴ釦を備えた予約器とからなるローリー出荷装置における出荷予約装置であって、前記磁気カードはローリー１台につき１枚を付与し、前記磁気カードリードライターに挿入された前記磁気カードを読み取り後、前記照光式予約ＥＮＴ釦の照光を点滅させ、予約する油種及び油量に関するすべての予約データを前記油種選択釦及び油量設定釦によって入力し、前記油種別予約量表示器に表示した後、前記照光式予約ＥＮＴ釦を押釦することによって前記照光を点灯させ、前記予約データを前記磁気カードリードライターによって前記磁気カードに書き込んで予約完了後、前記照光を消灯するとともに前記磁気カードが前記磁気カードリードライターから飛び出すようにしたので、複雑なキーボードによる操作をすることなく、また、タンクローリー車一台について一枚の磁気カードで複数の油種、油量の出荷予約を行うことができる。
【図面の簡単な説明】
【図１】  本発明の実施例を説明するためのローリー出荷装置の全体構成図である。
【図２】  本発明の予約器の構成を示す図である。
【符号の説明】
１…予約器、１ａ…油種選択釦、１ｂ…油量設定釦、１ｃ…油種別予約量表示器、１ｄ…予約ＥＮＴ釦、１ｅ…キャンセル釦、２…磁気カードリードライター、３…事務所コントローラ、４…現場制御ユニット、５…磁気カードリーダ、６…バリヤーユニット、７…アースチャック、８…ジャンクションボックス、９…油液供給装置、９ａ…ポンプ、９ｂ…ストレーナ、９ｃ…流量計、９ｄ…定量計、９ｅ…出荷開始リモートスイッチ、１０…表示器、１１…ブザーボックス、Ａ…油槽所事務所内設備、Ｂ…油槽所積場設備、Ｃ…電源設備。
【図１】
0003667095.tif 000002
【図２】
0003667095.tif 000003